(57)【要約】【課題】目詰まりを生じにくくして排水の流れを良くし、清掃頻度が増えることを抑え、しかも、排水栓用のヘアキャッチャーにおいて捕集された髪の毛、繊維屑、その他のゴミ等を取り除きやすい構造のヘアキャッチャーを実現するものである。【解決手段】ヘアキャッチャーは、平面視で楕円形状の捕集体５を備え、捕集体５の一端には返し１８が形成されており、この返し１８が錘となって、軸部３に対し所定角度傾斜した斜め保持状態となり、この斜め保持状態で排出孔８に取り付けられ、返し１８は、ゴミ溜め部１９として機能し、捕集体５で捕集したゴミを溜め、捕集体５の上部を目詰まりを抑え、排水が通過しやすくする。清掃の際には、斜め保持状態から回動して水平保持状態とすることで、ゴミを取り除く易くする。【選択図】図１
2010189947.tif 000002
【特許請求の範囲】
【請求項１】
軸部に捕集体が取付けられたヘアキャッチャーであって、捕集体を軸部に対し所定角度傾斜した斜め保持状態となることを特徴とするヘアキャッチャー。
【請求項２】
請求項１に記載のヘアキャッチャーであって、捕集体が斜め保持状態から、軸部に対して直交する方向に保持される水平保持状態に回動可能であることを特徴とするヘアキャッチャー。
【請求項３】
請求項１または２に記載のヘアキャッチャーであって、捕集体の斜め保持状態の所定角度を維持するためのガイド部を備えていることを特徴とするヘアキャッチャー。
【請求項４】
請求項１から３のいずれかに記載のヘアキャッチャーであって、捕集体が斜めの保持状態の時に、下方に位置する側にゴミ溜め部を備えていることを特徴とするヘアキャッチャー。
【請求項５】
請求項４に記載のヘアキャッチャーであって、ゴミ溜め部の端部に返しが形成されていることを特徴とするヘアキャッチャー。
【請求項６】
請求項１から５のいずれかに記載のヘアキャッチャーであって、捕集体は平面視で楕円形状であることを特徴とするヘアキャッチャー。
【発明の詳細な説明】
【技術分野】
【０００１】
本発明は、洗面ボウル等の排水口に用い、髪の毛、繊維屑、その他のゴミ等を捕集するヘアキャッチャーに関するものである。
【背景技術】
【０００２】
従来、排水口用のヘアキャッチャーにおいて、図４のヘアキャッチャー３１に示すように、軸３２に２つの捕集体３３、３４を上下に設けた構成のものは公知である。このヘアキャッチャー３１の頭部３５から下方に延びる軸３２の上部には、底の浅い捕集体３３が取り付けられており、軸３２の下部に錐状に傾斜した別の捕集体３４が取り付けられている。
【０００３】
また、本出願人は、軸部の上部に捕集体が固定され、軸部の上下方向に移動可能な複数のリングを同心的に備えた円状体を有するヘアキャッチャーについてすでに提案している（特許文献１参照）。
【０００４】
さらに、排水栓用のヘアキャッチャーにおいて、軸に２つのリング体を螺着し、回転により、リング体の放射状捕集リブのヘアキャッチャー率や排水効率を変更し得るようにしたものが公知である（特許文献２参照）。
【０００５】
排水口用のヘアキャッチャーにおいて、放射状捕集リブを軸の方向に向かって低くなるように錐状に傾斜して形成したものが公知である（特許文献３参照）。
【先行技術文献】
【特許文献】
【０００６】
【特許文献１】特開２００８−２６７０４１号公報
【特許文献２】特開２００６−０６３５１６号公報
【特許文献３】特開２００５−３０７６１６号公報
【発明の概要】
【発明が解決しようとする課題】
【０００７】
上記従来の排水口用のヘアキャッチャーは、次のような問題がある。例えば、図５において、軸３２に上下２つの捕集体３３、３４が設けられており、髪の毛、繊維くず、その他のゴミ等をより確実に捕捉する構成となっている。しかし、捕集体３３が略平面形状であることから、捕捉された髪の毛、繊維くず、その他のゴミ等により目詰まりが生じやすく、排水の流れが阻害されやすく、清掃頻度が増えるという問題がある。
【０００８】
また、軸３２に対して捕集体３３、３４が固定されており、複雑な構造であるために、排水栓を清掃する際に、ヘアキャッチャーから捕集された髪の毛、繊維屑、その他のゴミ等を取り除きにくいという問題がある。
【０００９】
本発明は、上記従来のヘアキャッチャーの問題を解決することを目的とするものであり、目詰まりを生じにくくして排水の流れを良くし、清掃頻度が増えることを抑え、しかも、排水栓用のヘアキャッチャーにおいて捕集された髪の毛、繊維屑、その他のゴミ等を取り除きやすい構造のヘアキャッチャーを実現するものである。
【課題を解決するための手段】
【００１０】
本発明は上記課題を解決するために、軸部に捕集体が取付けられたヘアキャッチャーであって、捕集体を軸部に対し所定角度傾斜した斜め保持状態となることを特徴とするヘアキャッャーを提供する。
【００１１】
捕集体が斜め保持状態から、軸部に対して直交する方向に保持される水平保持状態に回動可能な構成とすることが好ましい。
【００１２】
捕集体の斜め保持状態の所定角度を維持するためのガイド部を備えていることが好ましい。
【００１３】
捕集体が斜め保持状態の時に、下方に位置する側にゴミ溜め部を備えていることが好ましい。
【００１４】
ゴミ溜め部の端部に返しが形成されていることが好ましい。
【００１５】
捕集体は平面視で楕円形状であることが好ましい。  
【発明の効果】
【００１６】
本発明のヘアキャッチャーは、捕集体を斜め保持状態となること可能とし、使用時には傾いた状態で設置可能な構成としたので、目詰まりが生じしにくくなり、排出孔での閉塞がしにくく、排出孔での良好な排水が得られるので、清掃頻度が増えることを抑えることができる。
【図面の簡単な説明】
【００１７】
【図１】本発明に係るヘアキャッチャーの実施例を説明する斜視図であり、排水栓を上端に取り付けた軸部に本発明に係る捕集体が取り付けられた状態を示す斜視図である。
【図２】（ａ）、（ｂ）、（ｃ）、（ｄ）は、それぞれ上記実施例の捕集体についての、上方から見た平面図、（ａ）のＡ−Ａ断面図、下方から見た平面図、側面図である。
【図３】上記実施例のヘアキャッチャーを排出孔内に取り付けて適用した状態を示す側面図を示す。
【図４】上記実施例のヘアキャッチャーを排出孔から取り出して水平保持状態にした側面図を示す。
【図５】従来例のヘアキャッチャーを示す斜視図である。
【発明を実施するための形態】
【００１８】
本発明に係るヘアキャッチャーを実施するための形態を実施例に基づき図面を参照して、以下説明する。
【実施例】
【００１９】
図１〜４は、本発明に係るヘアキャッチャーの実施例を説明する図である。図１に示すように、本発明に係るヘアキャッチャー１は、上端に排水栓２が取り付けられた軸部３に保持される少なくとも捕集体５を備えて構成される。この実施例のヘアキャッチャー１は、捕集体５に加えてさらに、捕集体５の下方において、軸部３に捕捉体４が取り付けられている。
【００２０】
軸部３は、その上端には、上記のとおり排水栓２が同心的に着脱可能に取り付けられており、その下端には、抜け止め６が着脱可能に設けられている。この排水栓２は、図３の想像線に示すように、洗面ボウル等の底７に設けられた排出孔８の排水口９に嵌合して閉鎖する部材であり、開栓時には、図３の実線に示すように、軸部３とともに上方に移動することで排水口９を開く。
【００２１】
排水栓２の開閉は、例えば図３に示すように、洗面ボウル等に付帯して設けた周知の操作リンク機構１０で上下動する押し上げアーム１１で、抜け止め６を下方から上方に突き上げたり、下方に引っ込めたりすることで操作可能である。
【００２２】
本発明のヘアキャッチャー１の特徴は、捕集体５の構成にある。この本発明の特徴である捕集体５の構成について、以下、図２において詳細に説明する。捕集体５は、図２（ａ）、（ｃ）に示すように、平面視で外形が楕円形の平板材から形成されている。平板材は、例えば、プラスチック、金属材等の材料のものを使用する。
【００２３】
捕集体５は、図２（ａ）に示すように、楕円の中心を通り楕円の長手方向を左右に２分する中央帯部１２を有する。中央帯部１２から左右にそれぞれ延びるように、左右の櫛部１３、１４が形成されている。左右の櫛部１３、１４は、互いに略対称となるように形成されており、それぞれ先端が楕円の外形に沿うように延びた複数の櫛歯１５、１６から構成されている。
【００２４】
左右の櫛部１３、１４は、その櫛歯１５、１６によって、髪の毛、繊維屑、その他のゴミ等をからめて捕集するとともに、櫛歯１５、１６の隙間１７から排水を通過させる機能を有する。捕集体５は、全体にわたって平坦な板材から構成してもよいが、図２（ａ）、（ｂ）、（ｄ）に示すように、左櫛部１３の下方に位置する左端部がゴミ溜め部１９となっている。このゴミ溜め部１９の端部である櫛歯１５の先端に返し１８が形成されている構成とすることが好ましい。
【００２５】
この返し１８は、錘として機能する。即ち、捕集体５を軸部３に嵌合して取り付けた場合に、中心線Ｘを中心として、捕集体５が返し１８の重量によって、返し１８の形成されている側が下方になるように傾く（図１の状態参照）ための錘として機能する。ここで、中心線Ｘは、捕集体５の楕円の中心を通過し左右の中心となる線である。
【００２６】
また、返し１８は、ゴミ溜め部１９を補助する部分として機能する。即ち、図３に示すように、排出孔８内に装着され、斜め保持状体とされた捕集体５の左右の櫛部１３、１４は、排水が通過する際にゴミ等を捕集する。このように捕集されたゴミ等の一部は、櫛部１３、１４に沿って斜め下方に落ちて返し１８で受け止めゴミ溜め部１９に溜まる。また、返し１８で捕集されたゴミ等もゴミ溜め部１９に溜まる。                  
【００２７】
捕集体５の楕円外形の中心であって中央帯部１２の中心には、軸部３を挿通して捕集体５を軸部３に取り付けるための取付孔２０が形成されている。この取付孔２０の形状は、図２（ａ）、（ｃ）に示すように、平面視で捕集体５の楕円外形と同じ方向に長い楕円形に形成されている。
【００２８】
取付孔２０の断面形状は、図２（ｂ）に示すように、捕集体５の平坦面（水平面）に対して左斜め下方に向けて形成されている。取付孔２０は、このような形状であるから、捕集体５は、軸部３に対して斜め保持状態（図１及び図３参照）にすることができるし、また斜め保持状態から水平保持状態（図４参照）へも回動可能である。
【００２９】
軸部３に捕集体５を挿通すると、返し１８の重量により、上記のとおり捕集体５は軸部３に対して返し１８側に回動する。本発明の捕集体５は、その下面に取付孔２０を部分的に囲むように湾曲状のガイド部２１が設けられている。このガイド部２１は、図３に示すように、軸部３に対して回動する捕集体５を受け止めて、捕集体５を所定の角度αで傾斜した斜め保持状態に維持する。                        
【００３０】
本発明の捕集体５が所定の角度αの斜め保持状態の場合に、捕集体５は、その上面から見た平面視で正円形である。この正円形の直径は、捕集体５の楕円の短径に相当するが、この短径の寸法は、ヘアキャッチャー１が装着される排出孔８の直径より若干小さくなるように捕集体５が形成される。
【００３１】
捕集体５の取付孔２０は、捕集体５が軸部３に対して所定の角度αで斜め保持状態となったときに（図３参照）、軸部３と取付孔２０が平行となるように、捕集体５の平坦面（水平面）に対して角度βで形成される（図２（ｂ）参照）。この角度βは、αの補角、即ちβ＝９０°−αである。
【００３２】
捕集体５は、上記のように取付孔２０を設け、軸部３に捕集体５を挿通することで、自然状態では、捕集体５が軸部３に対して傾斜した斜め保持状態で保持される。しかし、このように斜め保持状態にある捕集体５を、その斜め上部に下方に向けて返し１８の重量に打ち勝つ力を指で加えると、図４に示すように、軸部３に直交する方向に保持される水平保持状態まで回動可能である。
【００３３】
捕捉体４は、図１、３、４に示すように、軸部３に対して直交するように水平状態で保持されている。捕捉体４は、その全体形状が凹湾曲状に形成されている。具体的には、軸部３に嵌合し密着状態で嵌着して取り付けられるハブ２３と、このハブ２３を中心としてハブ２３の周りに一体で形成されたゴミを捕捉する格子部２４とから成る。
【００３４】
格子部２４は、ハブ２３に対して同心的かつ段階的に上方に設けられた中間円環枠２５と外側円環枠２６とを備え、ハブ２３と中間円環２５との間、中間円環枠２５と外側円環枠２６との間にそれぞれ径方向に設けられた径方向部材２７が、周方向に適宜間隔で隔設されて一体的に形成されている。
【００３５】
ハブ２３の中心には嵌着孔が形成されており、この嵌着孔に軸部３を嵌合して捕捉体４を密着状態で嵌着し、捕集体５の下方の軸部３に取り付けることができる。この捕捉体４は、捕集体５では捕集されずに下方に流下した、例えばコンタクトレンズ等を捕捉する機能を奏する。
【００３６】
（作用）
以上の構成から成る本発明のヘアキャッチャーの実施例の作用を説明する。排出孔８へ装着しない自然状態では、ヘアキャッチャー１は、図１に示すように、捕集体５は返し１８の重量が錘として作用し、軸部３に対して斜め保持状態で取り付けられている。
【００３７】
軸部３に斜め保持状態で取り付けられているヘアキャッチャー１を、排水栓２及び軸部３とともに、図３に示すように、洗面ボウル等の底７の排水口９から排出孔８内に挿入し、図３の想像線で示すように、抜け止め６が押し上げアーム１１上に当接するように設置する。
【００３８】
ところで、ヘアキャッチャー１が斜め保持状態では、捕集体５は、上方から見て平面視で正円形となるから、円形の排出孔８内に嵌合することが可能であり、排出孔８内に嵌合された状態でも斜め保持状態が維持される。
【００３９】
なお、捕集体５は、本実施例では返し１８を設け、その重力で自然状態でも斜め保持状態が維持される構成としたが、返し１８を設けない全体にわたって平坦な板材から成る構成でも、斜めの状態にして円形の排出孔８内に嵌合することで、排出孔８内で斜め保持状態を維持することが可能である。
【００４０】
押し上げアーム１１は、操作リンク機構１０で上下動され、下方にある時には、図３の想像線に示すように、排水栓２が排水口９を閉じている。押し上げアーム１１が、操作リンク機構１９によって上方に移動すると、図３において実線で示すように、排水栓２が軸部３を介して持ち上げられ、排水口９が開く。
【００４１】
排水口９から排出孔８内に流れこんだ排水は、捕集体５の櫛部１３、１４及び捕捉体４を通過して流下し、排水路２８へ排出される。排水が櫛部１３、１４を通過する際に、髪の毛、繊維屑、その他のゴミ等が櫛歯１５、１６で捕集される。本発明の捕集体５は、斜め保持状体で設置されているために、髪の毛、繊維屑、その他のゴミ等は捕集体５の下部の返し１８におけるゴミ溜め部１９に溜まっていく。         
【００４２】
そのため、捕集体５の櫛部１３、１４には髪の毛、繊維屑、その他のゴミ等が溜まりにくく、目詰まりを起こしにくくなる。その結果、排出孔８が塞がれにくくなり、排水もスムースに流れやすく、捕集体５の清掃頻度が増えることを抑えることができる。捕集体５を通過したゴミやコンタクトレンズ等は、捕集体５の下方に設けられた捕捉体４の格子部２４で捕捉される。
【００４３】
ヘアキャッチャー１を清掃する場合は、排水栓２とともに排出孔８から取り出す。ヘアキャッチャー１を排出孔８から取り出して自然状態とした場合は、図１に示すように、捕集体５は斜め保持状態である。そこで、捕集体５の斜め上部を返し１８の重量をより大きな力で下方に押すと回動して、図４に示すように水平保持状態となる。
【００４４】
このような水平保持状体では、捕集体５は、排水栓２及び捕捉体４と平行な水平状態となり、清掃する人は、捕集体５の上下の空間２９、３０に指を入れやすくなる。従って、ゴミ溜め部１９に溜まったゴミ等が簡単に取り除けるようになるだけでなく、捕集体５及び捕捉体４に絡まった髪の毛、繊維屑、その他のゴミ等を取り除き易くなる。
【００４５】
以上、本発明に係るヘアキャッチャーを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
本発明に係るヘアキャッチャーは上記のような構成であるから、洗面ボウル、浴槽、浴室洗い場等の排出孔へも適用可能である。
【符号の説明】
【００４７】
１  ヘアキャッチャー                       
２  排水栓                                 
３  軸部                                   
４  捕捉体                                 
５  捕集体                                 
６  抜け止め                               
７  洗面ボウル等の底                       
８  排出孔                                 
９  排水口                                 
１０  操作リンク機構                       
１１  押し上げアーム                       
１２  中央帯部                             
１３  左の櫛部                             
１４  右の櫛部                             
１５  左の櫛歯                             
１６  右の櫛歯                             
１７  左右の櫛歯のそれぞれの隙間           
１８  返し                             
１９  ゴミ溜め部                           
２０  取付孔                               
２１  ガイド部                             
２３  ハブ                           
２４  格子部                         
２５  中間円環枠                     
２６  外側円環枠                     
２７  径方向部材 
２８  排水路
２９  捕集体の上の空間
３０  捕集体の下の空間
α  捕集体の斜め保持状態の所定の傾斜角度
β  捕集体の取付孔の傾斜角度
Ｘ  捕集体の中心線
（従来例）
３１  ヘアキャッチャー
３３、３４  捕集体
３２  軸
３５  頭部
【図１】
2010189947.tif 000003
【図２】
2010189947.tif 000004
【図３】
2010189947.tif 000005
【図４】
2010189947.tif 000006
【図５】
2010189947.tif 000007